(57)【要約】      （修正有）【課題】フレームの内側に張設された張地の表面により座面又は背凭れ面を形成している椅子において、座面又は背凭れ面を立体的に加工し、着座時の姿勢の安定感の向上や着座感の向上を図る。【解決手段】座３の外周縁の少なくとも一部を構成するフレームである座フレーム３１と、この座フレーム３１の内側に張設された張地３２と、該張地３２の前記座フレーム３１への張設箇所と異なる箇所を裏側に向けて牽引する牽引手段５とを備える。【選択図】図２
2013226326.tif 000002
【特許請求の範囲】
【請求項１】
座又は背凭れを構成しその外周縁の少なくとも一部を構成するフレームと、
このフレームの内側に張設された張地と、
該張地の前記フレームへの張設箇所と異なる箇所を裏側に向けて牽引する牽引手段とを備えていることを特徴とする椅子。
【請求項２】
前記牽引手段が、張地の裏面に配された牽引部と、この牽引部を保持する保持部とを備えている請求項１記載の椅子。
【請求項３】
前記張地の裏側に配されて前記フレームとの間で前記張地を挟持する内フレームを備え、この内フレームに前記保持部を設けている請求項２記載の椅子。
【請求項４】
座を下方から支持する支持基部を備え、この支持基部に前記保持部を直接的又は間接的に設けている請求項２記載の椅子。
【請求項５】
前記牽引手段が、座の後部の幅方向中央部を裏側に向けて牽引するものである請求項１、２、３又は４記載の椅子。
【請求項６】
前記張地が、縦糸と横糸とを備えたメッシュ状の織物であって、これら縦糸及び横糸の少なくとも一方が弾性糸である請求項１、２、３、４又は５記載の椅子。
【発明の詳細な説明】
【技術分野】
【０００１】
本発明は、オフィスや家庭等において好適に用いられ、座又は背凭れの少なくとも一方が、フレームとこのフレームの内側に張設された張地とを備えている椅子に関する。
【背景技術】
【０００２】
従来より、座又は背凭れの少なくとも一方が、フレームとこのフレームの内側に張設された張地とを備えている椅子が種々提案されている（例えば、特許文献１を参照）。このような椅子においては、張地がフレームの内側に張設されているため、張地の表面により形成される座面又は背凭れ面は平面的なものであった。
【０００３】
一方、ウレタンクッションの表面や、樹脂成形品の表面や、合板成形品の表面により形成されている座面又は背凭れ面は、その形状を立体的に加工することにより、着座時の姿勢の安定感の向上や着座感の向上が図られてきている。
【０００４】
しかして、フレームの内側に張設された張地の表面により座面又は背凭れ面を形成している特許文献１記載のもののような椅子においては、これまでは上述したような座面又は背凭れ面の立体的な加工が困難であったが、このような椅子においても座面又は背凭れ面を立体的に加工し、着座時の姿勢の安定感の向上や着座感の向上を図る要望は存在する。
【先行技術文献】
【特許文献】
【０００５】
【特許文献１】特許第４４９７６２９号公報
【発明の概要】
【発明が解決しようとする課題】
【０００６】
本発明は以上の点に着目し、フレームの内側に張設された張地の表面により座面又は背凭れ面を形成している椅子において、座面又は背凭れ面を立体的に加工し、着座時の姿勢の安定感の向上や着座感の向上を図ることを目的とする。
【課題を解決するための手段】
【０００７】
すなわち本発明に係る椅子は、座又は背凭れを構成しその外周縁部の少なくとも一部を構成するフレームと、このフレームの内側に張設された張地と、該張地の前記フレームへの取付箇所と異なる箇所を裏側に向けて牽引する牽引手段とを備えていることを特徴とする。
【０００８】
このようなものであれば、牽引手段により張地が裏側に向けて牽引された箇所には凹部が形成されるので、フレームの内側に張設された張地の表面により座面又は背凭れ面を形成している椅子においても、座面又は背凭れ面に凹凸を設けて該座面又は背凭れ面を立体的なものとすることができる。なお、本発明において、「外周縁部の少なくとも一部を構成する」とは、座又は背凭れの外周縁部の全体にわたるものや、座又は背凭れの左右両側縁部に対をなして設けられるものや、座の前後両側縁部に対をなして設けられるものや、背凭れの上下両側縁部に対をなして設けられるもの等を含む概念である。
【０００９】
張地を裏側に牽引させて座面又は背凭れ面に凹凸を設けるための構成の一例として、前記牽引手段が、張地の裏面に配された牽引部と、この牽引部を保持する保持部とを備えているものが挙げられる。
【００１０】
前段で述べたような牽引手段を大幅な設計変更を伴うことなく実現するための構成の一例として、前記張地の裏側に配されて前記フレームとの間で前記張地を挟持する内フレームを備え、この内フレームに前記保持部を設けているものが挙げられる。
【００１１】
また、上述したような牽引手段を大幅な設計変更を伴うことなく実現するための構成の他の一例として、座を下方から支持する支持基部を備え、この支持基部に前記保持部を直接的又は間接的に設けているものが挙げられる。なお、「支持基部に前記保持部を間接的に設ける」とは、例えば、支持基部に一体的又は着脱可能に設けた荷台等の部材に保持部を設ける態様や、支持基部に一体的又は着脱可能に設けた部材そのものを保持部として利用する態様を含む概念である。
【００１２】
座面に凹凸を設けて着座感の向上を図るために好適な態様として、前記牽引手段が、座の後部の幅方向中央部を裏側に向けて牽引するものであるものが挙げられる。
【００１３】
そして、着座感の更なる向上を図るための態様として、前記張地が、縦糸と横糸とを備えたメッシュ状の織物であって、これら縦糸及び横糸の少なくとも一方が弾性糸であるものが挙げられる。
【発明の効果】
【００１４】
本発明によれば、フレームの内側に張設された張地の表面により座面又は背凭れ面を形成している椅子において、座面又は背凭れ面を立体的に加工し、着座時の姿勢の安定感の向上や着座感の向上を図ることができる。
【図面の簡単な説明】
【００１５】
【図１】本発明の第一実施形態に係る椅子を示す斜視図。
【図２】図１におけるＡ−Ａ断面図。
【図３】図１におけるＢ−Ｂ断面図。
【図４】図１におけるＣ−Ｃ断面図。
【図５】同実施形態に係る椅子の座を示す分解斜視図。
【図６】本発明の第二実施形態に係る椅子を示す斜視図。
【図７】同実施形態に係る椅子を示す背面斜視図。
【図８】同実施形態に係る椅子の要部を示す側面図。
【図９】本発明の他の実施形態に係る椅子の座を示す分解斜視図。
【発明を実施するための形態】
【００１６】
本発明の第一実施形態について、図１〜図５を参照しつつ以下に述べる。
【００１７】
本発明に係る椅子１は、図１に示すように、脚体２と、この脚体２に支持させてなる座３と、この座３の後上方に配してなる背凭れ４とを具備する。
【００１８】
前記脚体２は、図１に示すように、左右に対をなす脚ベース２１と、この脚ベース２１の前後両端からそれぞれ起立する脚支柱２２と、この脚支柱２２の上端間を接続し上面にて前記座を支持する図示しない座受け部とを備えている。
【００１９】
前記座３は、図２〜図５に示すように、外周縁部を構成する座フレーム３１と、この座フレーム３１の内側に張設された張地３２と、この張地３２の裏側に配されて前記座フレーム３１との間で前記張地３２を挟持する座内フレーム３３とを備えている。
【００２０】
前記座フレーム３１は、図２〜図５に示すように、前端縁を形成する前枠３１１と、左右両側端縁をそれぞれ形成する左右の側枠３１２と、後端縁を形成する後枠３１３とを備えている。また、この座フレーム３１の下面には、下方に開口し前記張地３２の周縁部と係り合って該張地３２を保持する張地保持孔３１４を備えている。
【００２１】
前記張地３２は、縦糸と横糸とを備えたメッシュ状の織物であって、本実施形態ではこれら縦糸及び横糸がいずれも弾性糸である。この張地３２の外周縁には、図２〜図５に示すように、樹脂により形成した止め具３２１を縫い付けて一体に構成しており、上述したようにこの止め具３２１及びこの張地３２の外周縁を前記座フレーム３１の張地保持孔３１４に係り合わせることにより、この張地３２に張力を与えた状態で座フレーム３１の内側に張地３２を張設するようにしている。そして、この張地３２の止め具３２１に隣接する部位は前記座フレーム３１の下面に接し、前記座内フレーム３３との間で挟持されている。
【００２２】
前記座内フレーム３３は、上述したように、また図２〜図５に示すように、座フレーム３１との間で張地３２を挟持するものであり、張地３２を挟んで座フレーム３１と対向している。より具体的には、前記座フレーム３１の前枠３１１に対向しこの前枠３１１との間で前記張地３２の前端縁部を挟持するとともにこの前端縁部の後方に隣接する部位を下方から支持する前部支持片３３１と、前記座フレーム３１の左右の側枠３１２にそれぞれ対向しこの側枠３１２との間で前記張地３２の側端縁部を挟持するとともにこの側端縁部の内方に隣接する部位を下方から支持する左右の側部支持片３３２と、前記座フレーム３１の後枠３１３に対向しこの後枠３１３との間で前記張地３２の後端縁部を挟持する後内枠部３３３とを備えている。
【００２３】
しかして本実施形態では、前記座３を構成する張地３２の前記座フレーム３１への張設箇所と異なる箇所を裏側、換言すれば下方に向けて牽引する牽引手段５をさらに備えている。
【００２４】
この牽引手段５は、図２及び図５に示すように、前記張地３２の裏面に配された牽引部５１と、この牽引部５１を保持する保持部５２とを備えている。
【００２５】
さらに詳述すると、図２及び図５に示すように、前記牽引部５１は、張地３２の後部の幅方向中央部の裏面、換言すれば座面の後部の幅方向中央部の裏側に配され張地３２と同一材質の織物により形成されたシート状の部材であり、その上端部を張地３２に縫い付けることにより張地３２と一体に形成している。
【００２６】
前記保持部５２は、図２及び図５に示すように、前記座内フレーム３３の後内枠部３３３の幅方向中央部から前下方に延伸させて一体に設けられており、その先端部に前記牽引部５１の下端部を保持する。そして、この保持部５２に前記牽引部５１の下端部を保持させることにより、張地３２が弾性変形し、前記牽引部５１の上端に隣接する部位すなわち座３の後部の幅方向中央部に凹部が形成される。
【００２７】
そして、前記背凭れ４は、図１に示すように、外周部を構成する背フレーム４１と、この背フレーム４１の内側に張設された張地４２と、この張地４２の裏側に配されて前記背フレーム４１との間で前記張地４２を挟持する図示しない背内フレームとを備えており、従来のこの種の椅子の背凭れとして周知のものと同様の構成を有する。また、この背凭れ４は、その裏面すなわち後面を背凭れ支持部４３により支持されている。この背凭れ支持部４３は、脚体２の後部に位置する脚支柱２２の上端から一体的に延長させて設けている。
【００２８】
以上に述べたように、本実施形態に係る構成によれば、牽引手段５により座３の後部の幅方向中央部が裏側に向けて牽引されて凹部が形成されるので、座フレーム３１の内側に張設された張地３２の表面により座面を形成する態様を採用しつつ、座面に凹凸を設けて該座面を立体的なものとすることができる。また、張地３２に与える張力や張地３２を構成する縦糸又は横糸の弾性係数を部位によって変化させる態様と比較して、張地３２全体を同一の素材により形成しフレームの内側に張地３２を張設する際には全体に同一の張力を与えるようにしても上述した効果が得られるので、製造に掛かる手間を大幅に削減できる。
【００２９】
また、前記牽引手段５が、張地３２の裏面に設けられた牽引部５１と、この牽引部５１を保持する保持部５２とを備えているので、上述したような構成を無理なく実現できる。
【００３０】
さらに、前記張地３２の裏側に配されて前記フレームとの間で前記張地３２を挟持する座内フレーム３３をさらに備え、この座内フレーム３３に前記牽引手段５の保持部５２を一体に設けているので、前段で述べたような牽引手段５を大幅な設計変更を伴うことなく実現することができる。
【００３１】
加えて、上述したように、前記牽引手段５が、座３の後部の幅方向中央部を裏側に向けて牽引するので、座面に凹凸を設けて着座感の向上を図ることができる。
【００３２】
そして、張地３２を構成する縦糸及び横糸がいずれも弾性糸であるので、着座者から荷重を受けることにより張地３２が弾性変形可能である。従って、着座感の向上を図ることができる。
【００３３】
次いで、本発明の第二実施形態について、図６〜図８を参照しつつ以下に述べる。
【００３４】
本実施形態に係る椅子Ａ１は、図６及び図７に示すように、脚体Ａ２と、この脚体Ａ２により回転可能に支持された支持基部Ａ３と、この支持基部Ａ３に支持された座Ａ４及び背凭れＡ５とを具備してなる。
【００３５】
脚体Ａ２は、図６に示すように、キャスタを有した脚羽根タイプの脚ベースＡ２１と、この脚ベースＡ２１の中心部に立設した図示しない脚支柱とを具備してなる。前記脚支柱は、ガススプリングを主体に構成された通常のもので、この脚支柱の上端部に前記支持基部Ａ３が取り付けられている。
【００３６】
支持基部Ａ３は、図６及び図７に示すように、後方に向かって漸次幅狭となる平面視ほぼ三角形状をなすものであり、前記脚支柱の上端部に取り付けられる底壁Ａ３１と、この底壁Ａ３１の周縁に設けられた周壁Ａ３２と、この周壁Ａ３２の上端に蓋着された図示しない天壁とを具備してなる。この支持基部Ａ３には、前記脚体Ａ２のガススプリングを制御するための操作レバーが設けられている。そして、この支持基部Ａ３は、座Ａ４を下方から支持する。
【００３７】
座Ａ４は、図６〜図８に示すように、左右対をなしこの座の左右両側縁をそれぞれ構成する座フレームＡ４１と、これら両座フレームＡ４１間に張設された可撓性のある座張地Ａ４２と、この座張地Ａ４２との間に空間を形成しつつ前記両座フレームＡ４１の前端部間に介設されその介設状態で前記座張地Ａ４２に張力を付与する前横梁Ａ４３とを具備してなる。
【００３８】
背凭れＡ５は、図６及び図７に示すように、左右対をなす背フレームＡ５１と、これら両背フレームＡ５１間に張設された可撓性のある背張地Ａ５２と、この背張地Ａ５２との間に空間を形成しつつ前記両背フレームＡ５１の上部間に介設されその介設状態で前記背張地Ａ５２に張力を付与する上横梁Ａ５３と、前記背張地Ａ５２との間に空間を形成しつつ前記両背フレームＡ５１の下部間に介設されその介設状態で前記背張地Ａ５２に張力を付与する下横梁Ａ５４とを具備してなる。
【００３９】
前記座フレームＡ４１と前記背フレームＡ５１とは、図６及び図７に示すように、連続したものであり（連続した座フレームＡ４１と背フレームＡ５１とを「フレームＦ」と総称する場合がある）、前記座Ａ４と背凭れＡ５とが一体となるように構成されている。すなわち、左の座フレームＡ４１と左の背フレームＡ５１、及び右の座フレームＡ４１と右の背フレームＡ５１とはそれぞれ一本の連続した金属素材を一体に成形することにより一体に構成されている。
【００４０】
前記左のフレームＦ及び右のフレームＦの各外側面Ｆａには、図６及び図７に示すように、前記座張地Ａ４２及び前記背張地Ａ５２を取り付けるための取付溝Ｆｄが形成されている。これらの取付溝Ｆｄは、前記各フレームＦの裏面Ｆｂよりも表面Ｆｃに近い位置に配されている。ここで、裏面Ｆｂとは、座フレームＡ４１の場合には下面を意味し、背フレームＡ５１の場合には背面を意味する。また、表面Ｆｃとは、座フレームＡ４１の場合には上面を意味し、背フレームＡ５１の場合には前面を意味する。
【００４１】
前記座張地Ａ４２及び前記背張地Ａ５２（以下、「張地Ｍ」と総称する場合がある）は、図６及び図７に示すように、合成樹脂製の糸を織成または編成してなるメッシュ状の張地素材を所定形状に裁断することにより一体に構成されており、着座面である表面Ｍａ側から裏面Ｍｂ側に存在するものを視認することができるような透光性を備えている。また、この張地Ｍを構成する縦糸及び横糸は、いずれも弾性糸である。
【００４２】
この張地Ｍの左右両縁部Ｍｃには、図示は省略するが、帯状をなす剛性のある押し込み材が設けられている。この押し込み材は、前記張地Ｍの縁部Ｍｃに沿って連続して設けられたものであり、前記張地Ｍの縁部Ｍｃの一面側、すなわち裏面Ｍｂ側に縫製等により添着されている。また、この押し込み材は、合成樹脂等により作られたもので、前記取付溝Ｆｄに挿入可能な厚み寸法を有するとともに、前記取付溝Ｆｄの奥行き方向の開口寸法よりも大きな幅寸法を有したものである。
【００４３】
そして、図６〜図８に示すように、この張地Ｍの各縁部Ｍｃを前記押し込み材とともに前記フレームＦの外面Ｆａ側に設けられた取付溝Ｆｄに反転させて挿入することにより、当該張地Ｍを左右のフレームＦ間に張設している。この状態で、左右のフレームＦ間に前横梁Ａ４３、上横梁Ａ５３及び下横梁Ａ５４を介在させることによって前記張地Ｍに張力が付与される。このようにして張力を付与された張地Ｍは、左右のフレームＦの形状に沿った形態となる。すなわち、左右の背フレームＡ５１は、下端の近傍に着座Ａ４者の腰形状に対応して前方に突出する突出部を有したものであり、前記背張地Ａ５２が下横梁Ａ５４により張力を付与されることにより前記突出部に対応した突出形状をなすように張設されている。
【００４４】
上述したように、この椅子Ａ１は座Ａ４と背凭れＡ５とが一体に構成されており、これら座Ａ４及び背凭れＡ５が前記支持基部Ａ３に一体に設けられた前横梁Ａ４３によって片持ち支持されている。そして、この支持基部Ａ３と前記座Ａ４との間に荷物載置面Ａ６ａが設けられ、その荷物載置面Ａ６ａと前記座Ａ４の裏面との間に荷物を出し入れ自在に収容するための荷物収容空間が形成されている。前記荷物載置面Ａ６ａは、前横梁Ａ４３の平坦部の上面と支持基部Ａ３の上に着脱可能に装着された棚板Ａ６の上面により形成されている。
【００４５】
しかして本実施形態では、図８に示すように、座張地Ａ４２の前記座フレームＡ４１への張設箇所と異なる箇所を裏側に向けて牽引する牽引手段Ａ７をさらに備えている。この牽引手段Ａ７は、張地Ｍの裏面、より具体的には座張地Ａ４２の裏面に配された牽引部Ａ７１と、この牽引部Ａ７１を保持する保持部Ａ７２とを備えている。
【００４６】
さらに詳述すると、前記牽引部Ａ７１は、図８に示すように、座張地Ａ４２の後部の幅方向中央部の裏面、換言すれば座面の後部の幅方向中央部の裏側に配され張地Ｍ（座張地Ａ４２）と同一材質の織物により形成されたシート状の部材であり、その上端部を張地Ｍ（座張地Ａ４２）に縫い付けることにより張地Ｍ（座張地Ａ４２）と一体に形成している。
【００４７】
前記保持部Ａ７２は、図８に示すように、前記棚板Ａ６の後端に設けられている。換言すれば、この保持部Ａ７２は、支持基部Ａ３に間接的に設けられている。そして、この保持部Ａ７２に前記牽引部Ａ７１の下端部を保持させることにより、張地Ｍ（座張地Ａ４２）が弾性変形し、前記牽引部Ａ７１の上端に隣接する部位すなわち座Ａ４の後部の幅方向中央部に凹部が形成される。
【００４８】
以上に述べたように、本実施形態に係る構成によっても、牽引手段Ａ７により座Ａ４の後部の幅方向中央部が裏側に向けて牽引されて凹部が形成されるので、座フレームＡ４１の内側に張設された座張地Ａ４２の表面により座面を形成する態様を採用しつつ、座面に凹凸を設けて該座面を立体的なものとすることができる。また、座張地Ａ４２に与える張力や座張地Ａ４２を構成する縦糸又は横糸の弾性係数を部位によって変化させる態様と比較して、座張地Ａ４２全体を同一の素材により形成し座フレームＡ４１の内側に座張地Ａ４２を張設する際には全体に同一の張力を与えるようにしても上述した効果が得られるので、製造に掛かる手間を大幅に削減できる。
【００４９】
また、前記牽引手段Ａ７が、張地の裏面に配された牽引部Ａ７１と、この牽引部Ａ７１を保持する保持部Ａ７２とを備えているので、上述したような構成を無理なく実現できる。
【００５０】
加えて、座Ａ４を下方から支持する支持基部Ａ３を備え、この支持基部Ａ３に前記保持部Ａ７２を間接的に設けているので、前段で述べたような牽引手段Ａ７を大幅な設計変更を伴うことなく実現することができる。
【００５１】
そして、張地Ｍ（座張地Ａ４２）を構成する縦糸及び横糸が、いずれも弾性糸であるので、着座者から荷重を受けることにより張地が弾性変形可能である。従って、着座感の向上を図ることができる。
【００５２】
なお、本発明は以上に述べた実施形態に限らない。
【００５３】
例えば、上述した第一及び第二実施形態では、張地の裏面に設けられ張地と同一材質の織物により形成されたシート状の牽引部と、この牽引部を保持する保持部とを備えている牽引手段を採用しているが、例えば、図９に示すように、牽引部に代えて、基端部を張地に固着しているとともに先端部を保持部５２に固定可能な紐状の牽引部５３を採用してもよい。この牽引部５２は、１本の紐の両端部をそれぞれ張地に縫い付け中間部を保持部に保持させる態様のものである。なお、この態様において、その他の部位は第一実施形態に係るものと同様の構成を有するため、図９において、第一実施形態に係るものに対応する各部位には同一の符号を付している。紐状の牽引部としては、その他、左右１対の紐を利用したものであって対をなす紐の一端部をそれぞれ張地に縫い付け他端部同士を結合した状態で保持部に保持させる態様のもの等、種々の態様のものが考えられる。
【００５４】
また、座の後部の幅方向中央部に牽引手段を設ける態様に限らず、例えば背凭れの下部の幅方向中央部に牽引手段を設ける等、凹部を設けることにより着座感の向上が見込めるその他の箇所に牽引手段を設けてももちろんよい。
【００５５】
さらに、上述した第一及び第二実施形態では、張地を構成する縦糸及び横糸がいずれも弾性糸である構成を採用しているが、縦糸と横糸とのうちいずれか一方のみが弾性糸である構成を採用しても、着座者から荷重を受けることにより張地が弾性変形するので、着座感の向上をある程度図ることができる。
【００５６】
その他、本発明の趣旨を損ねない範囲で種々に変形してよい。
【符号の説明】
【００５７】
１、Ａ１…椅子
３、Ａ４…座
３１、Ａ４１…座フレーム（フレーム）
３２、Ａ４２…座張地（張地）
３３…座内フレーム
４、Ａ５…背凭れ
５、Ａ７…牽引手段
５１、Ａ７１…牽引部
５２、Ａ７２…保持部
【図１】
2013226326.tif 000003
【図２】
2013226326.tif 000004
【図３】
2013226326.tif 000005
【図４】
2013226326.tif 000006
【図５】
2013226326.tif 000007
【図６】
2013226326.tif 000008
【図７】
2013226326.tif 000009
【図８】
2013226326.tif 000010
【図９】
2013226326.tif 000011